(57)【要約】【課題】電源の立ち上がり／立ち下がり波形といった電源波形の調整、複数の電源の出力制御、電源供給とシーケンス観測のタイミング調節が可能な電源シーケンス測定装置を提供する。【解決手段】測定対象へ供給する電源用のシーケンス情報を保存する電源情報保存手段と、電源情報保存手段で保存された電源用シーケンス情報に基づいて測定対象に電源電圧を出力する電源電圧出力手段と、電源電圧を受けた測定対象が出力する電圧を測定する電圧測定手段と、電圧測定手段で測定された結果を測定情報として保存する測定情報保存手段と、判定用のシーケンス情報を保存する判定情報保存手段と、測定情報保存手段で保存された測定情報と判定情報保存手段で保存された判定用シーケンス情報とを比較し、測定情報のＯＫ／ＮＧ判定を行う判定手段と、を有する。【選択図】図１
2009276201.tif 000002
【特許請求の範囲】
【請求項１】
測定対象へ供給する電源用のシーケンス情報を保存する電源情報保存手段と、
前記電源情報保存手段で保存された電源用シーケンス情報に基づいて測定対象に電源電圧を出力する電源電圧出力手段と、
前記電源電圧を受けた測定対象が出力する電圧を測定する電圧測定手段と、
前記電圧測定手段で測定された結果を測定情報として保存する測定情報保存手段と、
判定用のシーケンス情報を保存する判定情報保存手段と、
前記測定情報保存手段で保存された測定情報と前記判定情報保存手段で保存された判定用シーケンス情報とを比較し、前記測定情報のＯＫ／ＮＧ判定を行う判定手段と、
を有することを特徴とする電源シーケンス測定装置。
【請求項２】
前記電源情報保存手段は、前記電源用のシーケンス情報を複数保存し、
前記電源電圧出力手段は、前記電源情報保存手段で保存された各シーケンス情報に基づいて複数のチャンネルから測定対象に電源電圧を出力することを特徴とする請求項１に記載の電源シーケンス測定装置。
【請求項３】
前記電源情報保存手段は、前記電源用のシーケンス情報を複数パターン保存し、
前記電源電圧出力手段は、前記電源情報保存手段で保存された各シーケンス情報に基づいて測定対象に電源電圧を順次出力することを特徴とする請求項１又は２に記載の電源シーケンス測定装置。
【請求項４】
前記電源用のシーケンス情報は、電源ＯＮ時における電圧の立ち上がりの傾き、電圧レベル、各電圧が立ち上がりを開始する間隔、及び、電源ＯＦＦ時における電圧の立ち下がりの傾き、電圧レベル、各電圧が立ち下がりを開始する間隔を有して構成されることを特徴とする請求項１から３のいずれか１項に記載の電源シーケンス測定装置。
【請求項５】
外部記憶手段との接続を検知する接続検知手段と、
前記外部記憶手段の残容量を検知する残容量検知手段と、
を有し、
前記測定情報保存手段は、前記接続検知手段により正常な接続が検知されたとき前記測定情報を前記外部記憶手段に転送し、
前記電圧測定手段は、前記残容量検知手段により残容量が所定量以下となったことが検知されたとき測定対象の出力電圧の測定を中断することを特徴とする請求項１から４のいずれか１項に記載の電源シーケンス測定装置。
【請求項６】
電圧測定におけるサンプリング間隔に関する情報を保存するサンプリング情報保存手段を有し、
前記電圧測定手段は、前記サンプリング情報保存手段で保存される前記情報に基づくサンプリング間隔で測定対象の出力電圧を測定することを特徴とする請求項１から５のいずれか１項に記載の電源シーケンス測定装置。
【請求項７】
測定対象へ供給する電源用のシーケンス情報を記憶する第１記憶手段、判定用のシーケンス情報を記憶する第２記憶手段、電圧測定結果を記憶する第３記憶手段を備える電源シーケンス測定装置の制御方法であって、
前記第１記憶手段に記憶された電源用シーケンス情報に基づいて測定対象に電源電圧を出力する電源電圧出力ステップと、
前記電源電圧を受けた測定対象が出力する電圧を測定する電圧測定ステップと、
前記電圧測定ステップで測定された結果を測定情報として前記第３記憶手段に格納する測定情報格納ステップと、
前記第３記憶手段に格納された測定情報と前記第２記憶手段に記憶された判定用シーケンス情報とを比較し、前記測定情報のＯＫ／ＮＧ判定を行う判定ステップと、
を有することを特徴とする電源シーケンス測定装置の制御方法。
【請求項８】
前記第１記憶手段には前記電源用のシーケンス情報が複数記憶され、
前記電源電圧出力ステップは、前記第１記憶手段に記憶された各シーケンス情報に基づいて複数のチャンネルから測定対象に電源電圧を出力することを特徴とする請求項７に記載の電源シーケンス測定装置の制御方法。
【請求項９】
前記第１記憶手段には前記電源用のシーケンス情報を複数パターン記憶され、
前記電源電圧出力ステップは、前記第１記憶手段に記憶された各シーケンス情報に基づいて測定対象に電源電圧を順次出力することを特徴とする請求項７又は８に記載の電源シーケンス測定装置の制御方法。
【請求項１０】
前記電源用のシーケンス情報は、電源ＯＮ時における電圧の立ち上がりの傾き、電圧レベル、各電圧が立ち上がりを開始する間隔、及び、電源ＯＦＦ時における電圧の立ち下がりの傾き、電圧レベル、各電圧が立ち下がりを開始する間隔を有して構成されることを特徴とする請求項７から９のいずれか１項に記載の電源シーケンス測定装置の制御方法。
【請求項１１】
外部記憶手段との接続を検知する接続検知ステップと、
前記外部記憶手段の残容量を検知する残容量検知ステップと、
を有し、
前記測定情報格納ステップは、前記接続検知ステップにより正常な接続が検知されたとき前記測定情報を前記外部記憶手段に転送し、
前記電圧測定ステップは、前記残容量検知ステップにより残容量が所定量以下となったことが検知されたとき測定対象の出力電圧の測定を中断することを特徴とする請求項７から１０のいずれか１項に記載の電源シーケンス測定装置の制御方法。
【請求項１２】
前記電源シーケンス測定装置は、電圧測定におけるサンプリング間隔に関する情報を記憶する第４記憶手段を有し、
前記電圧測定ステップは、前記第４記憶手段に記憶される前記情報に基づくサンプリング間隔で測定対象の出力電圧を測定することを特徴とする請求項７から１１のいずれか１項に記載の電源シーケンス測定装置の制御方法。
【請求項１３】
測定対象へ供給する電源用のシーケンス情報を記憶する第１記憶手段、判定用のシーケンス情報を記憶する第２記憶手段、電圧測定結果を記憶する第３記憶手段を備える電源シーケンス測定装置に用いられるプログラムであって、
コンピュータに、
前記第１記憶手段に記憶された電源用シーケンス情報に基づいて測定対象に電源電圧を出力する電源電圧出力ステップと、
前記電源電圧を受けた測定対象が出力する電圧を測定する電圧測定ステップと、
前記電圧測定機能で測定された結果を測定情報として前記第３記憶手段に格納する測定情報格納ステップと、
前記第３記憶手段に格納された測定情報と前記第２記憶手段に記憶された判定用シーケンス情報とを比較し、前記測定情報のＯＫ／ＮＧ判定を行う判定ステップと、
を実行させることを特徴とするプログラム。
【請求項１４】
前記第１記憶手段には前記電源用のシーケンス情報が複数記憶され、
前記電源電圧出力ステップは、前記第１記憶手段に記憶された各シーケンス情報に基づいて複数のチャンネルから測定対象に電源電圧を出力することを特徴とする請求項１３に記載のプログラム。
【請求項１５】
前記第１記憶手段には前記電源用のシーケンス情報を複数パターン記憶され、
前記電源電圧出力ステップは、前記第１記憶手段に記憶された各シーケンス情報に基づいて測定対象に電源電圧を順次出力することを特徴とする請求項１３又は１４に記載のプログラム。
【請求項１６】
前記電源用のシーケンス情報は、電源ＯＮ時における電圧の立ち上がりの傾き、電圧レベル、各電圧が立ち上がりを開始する間隔、及び、電源ＯＦＦ時における電圧の立ち下がりの傾き、電圧レベル、各電圧が立ち下がりを開始する間隔を有して構成されることを特徴とする請求項１３から１５のいずれか１項に記載のプログラム。
【請求項１７】
外部記憶手段との接続を検知する接続検知ステップと、
前記外部記憶手段の残容量を検知する残容量検知ステップと、
をコンピュータに実行させ、
前記測定情報格納ステップは、前記接続検知ステップにより正常な接続が検知されたとき前記測定情報を前記外部記憶手段に転送し、
前記電圧測定ステップは、前記残容量検知ステップにより残容量が所定量以下となったことが検知されたとき測定対象の出力電圧の測定を中断することを特徴とする請求項１３から１６のいずれか１項に記載のプログラム。
【請求項１８】
前記電源シーケンス測定装置は、電圧測定におけるサンプリング間隔に関する情報を記憶する第４記憶手段を有し、
前記電圧測定ステップは、前記第４記憶手段に記憶される前記情報に基づくサンプリング間隔で測定対象の出力電圧を測定することを特徴とする請求項１３から１７のいずれか１項に記載のプログラム。
【請求項１９】
請求項１３から１８のいずれか１項に記載のプログラムを記録しコンピュータ読み取り可能かことを特徴とする記録媒体。
【発明の詳細な説明】
【技術分野】
【０００１】
本発明は、電源シーケンス測定装置、その制御方法、プログラム、及び記録媒体に関し、特に、複数の電圧系をもつ画像形成装置コントローラ等の電源シーケンスの測定に関するものである。
【背景技術】
【０００２】
従来の多チャンネル測定装置として、時間的な関係を持たない全く別々の複数の測定対象を測定する場合を考慮し、最適なタイミングでそれぞれの測定対象を測定する多チャンネル測定装置が知られている（例えば特許文献１）。また、チャンネル切り替えの際の処理時間を短縮し、処理性能を向上させた多チャンネルＡＤコンバータ読込方式が提案されている（例えば特許文献２）。また、被電源供給部において電源シーケンスの異常（低電圧あるいは過電圧の電源異常）を検出することにより、電源供給部から被電源供給部の間で発生した電源シーケンスの異常を検出できる電源シーケンス検出装置及び電源シーケンス検出方法が提案されている（例えば特許文献３）。また、制御部と被制御部の間で授受されるシーケンス制御用の制御信号及び応答信号を確認する場合に、制御部あるいは被制御部がそれぞれ単体であっても、該授受の確認が可能なシーケンス評価装置が提案されている（例えば特許文献４）。
【０００３】
また、複数の電圧系を有する画像形成装置において、主電源ＯＮ時や省エネモードからの復帰の際にコントローラの各電圧系がそれぞれ順に立ち上がるが、設計したとおりの順番・タイミングで規定の電圧レベルに達しているかを確認しなければならない。その手段としてオシロスコープなどで測定するものがある。
【０００４】
多チャンネルの電源シーケンスの測定を行う際にオシロスコープを使う場合、装置そのものが大掛かりで、環境設定が大変であり、利用方法も複雑である。加えて、オシロスコープのチャネル数は４チャネルの製品が多く、数十ものパターンの電圧系がある機器の各電圧を４チャネルずつ測定していくのでは莫大な工数を要し、作業も複雑である。また、測定結果のＯＫ／ＮＧの判定を人間が行うことで、判定ミスや人によって判定が割れてバラつきが生じ得るという問題がある。また、上記多チャンネル測定装置は、複数の被測定対象についてそれぞれＡ／Ｄコンバータが必要となり、装置の構成が複雑になっていた。
【０００５】
これに対する方策として、例えばＡ／Ｄ変換する手段に送るアナログデータを切り替えて選択し、保存しているシーケンス情報との比較を行って、各チャネルの所定の電圧レベル・タイミング情報をもとにＯＫ／ＮＧの判定を行う測定装置が考えられる。当該測定装置は、画像形成装置が備えるコントローラの主電源のＯＮ／ＯＦＦ制御手段、主電源のＯＮ／ＯＦＦ制御の間隔時間を所定の時間に設定するＯＮ／ＯＦＦ制御時間設定手段をさらに備えるようにしてもよい。このようにすると、主電源のＯＮ／ＯＦＦを切り替えることでアナログ入力をシーケンシャルに測定することが可能となる。
【特許文献１】特開２００６−０７１４４５号公報
【特許文献２】特許第２５０７１４９号公報
【特許文献３】特開２０００−１８８８２９号公報
【特許文献４】特開２００４−２６４９７４号公報
【発明の開示】
【発明が解決しようとする課題】
【０００６】
しかしながら、上記の測定装置には以下の問題点がある。すなわち、上記測定装置のコントローラの主電源のＯＮ／ＯＦＦ制御手段では、設定できるのはＯＮ／ＯＦＦの制御の間隔時間のみである。実際の電源装置においては、電源の立ち上がりの傾きは装置により異なることがあり、不具合の原因となる可能性もあるが、上記測定装置では図１８のような主電源の立ち上がりの傾きといった電源波形そのものは制御できない。このため、電源の立ち上がり波形に対するマージンの評価試験等が上記測定装置のみでは行えない。加えて、コントローラの制御のみを対象としているため、複数の電源を制御して各電源間の電源投入時間に対するマージン等を評価する試験が上記測定装置のみでは実践できない。こうした評価を行う場合、上記測定装置とは別に専用の電源装置を利用する必要があるが、装置が大掛かりなものとなる。また、上記装置は他の電源装置と連動して測定を行う機能を保持していないため、電源供給とシーケンス観測のタイミングを自動的に調節することができず、時間軸にずれが生じて、正しく測定できない場合がある。
【０００７】
そこで、本発明は、電源の立ち上がり／立ち下がり波形といった電源波形の調整、複数の電源の出力制御、電源供給とシーケンス観測のタイミング調節が可能な電源シーケンス測定装置、その制御方法などを提供することを目的とする。
【課題を解決するための手段】
【０００８】
かかる目的を達成するために、本発明は、測定対象へ供給する電源用のシーケンス情報を保存する電源情報保存手段と、電源情報保存手段で保存された電源用シーケンス情報に基づいて測定対象に電源電圧を出力する電源電圧出力手段と、電源電圧を受けた測定対象が出力する電圧を測定する電圧測定手段と、電圧測定手段で測定された結果を測定情報として保存する測定情報保存手段と、判定用のシーケンス情報を保存する判定情報保存手段と、測定情報保存手段で保存された測定情報と判定情報保存手段で保存された判定用シーケンス情報とを比較し、測定情報のＯＫ／ＮＧ判定を行う判定手段と、を有することを特徴とする電源シーケンス測定装置である。
【０００９】
また、本発明は、上記の電源シーケンス測定装置において、電源情報保存手段は、電源用のシーケンス情報を複数保存し、電源電圧出力手段は、電源情報保存手段で保存された各シーケンス情報に基づいて複数のチャンネルから測定対象に電源電圧を出力することを特徴とするものであってもよい。
【００１０】
また、本発明は、上記の電源シーケンス測定装置において、電源情報保存手段は、電源用のシーケンス情報を複数パターン保存し、電源電圧出力手段は、電源情報保存手段で保存された各シーケンス情報に基づいて測定対象に電源電圧を順次出力することを特徴とするものであってもよい。
【００１１】
また、本発明は、上記の電源シーケンス測定装置において、電源用のシーケンス情報は、電源ＯＮ時における電圧の立ち上がりの傾き、電圧レベル、各電圧が立ち上がりを開始する間隔、及び、電源ＯＦＦ時における電圧の立ち下がりの傾き、電圧レベル、各電圧が立ち下がりを開始する間隔を有して構成されることを特徴とするものであってもよい。
【００１２】
また、本発明は、上記の電源シーケンス測定装置において、外部記憶手段との接続を検知する接続検知手段と、外部記憶手段の残容量を検知する残容量検知手段と、を有し、測定情報保存手段は、接続検知手段により正常な接続が検知されたとき測定情報を外部記憶手段に転送し、電圧測定手段は、残容量検知手段により残容量が所定量以下となったことが検知されたとき測定対象の出力電圧の測定を中断することを特徴とするものであってもよい。
【００１３】
また、本発明は、上記の電源シーケンス測定装置において、電圧測定におけるサンプリング間隔に関する情報を保存するサンプリング情報保存手段を有し、電圧測定手段は、サンプリング情報保存手段で保存される情報に基づくサンプリング間隔で測定対象の出力電圧を測定することを特徴とするものであってもよい。
【００１４】
他の態様として、本発明は、測定対象へ供給する電源用のシーケンス情報を記憶する第１記憶手段、判定用のシーケンス情報を記憶する第２記憶手段、電圧測定結果を記憶する第３記憶手段を備える電源シーケンス測定装置の制御方法であって、第１記憶手段に記憶された電源用シーケンス情報に基づいて測定対象に電源電圧を出力する電源電圧出力ステップと、電源電圧を受けた測定対象が出力する電圧を測定する電圧測定ステップと、電圧測定ステップで測定された結果を測定情報として第３記憶手段に格納する測定情報格納ステップと、第３記憶手段に格納された測定情報と第２記憶手段に記憶された判定用シーケンス情報とを比較し、測定情報のＯＫ／ＮＧ判定を行う判定ステップと、を有することを特徴とする電源シーケンス測定装置の制御方法である。
【００１５】
また、本発明は、上記の制御方法において、第１記憶手段には電源用のシーケンス情報が複数記憶され、電源電圧出力ステップは、第１記憶手段に記憶された各シーケンス情報に基づいて複数のチャンネルから測定対象に電源電圧を出力することを特徴とするものであってもよい。
【００１６】
また、本発明は、上記の制御方法において、第１記憶手段には電源用のシーケンス情報を複数パターン記憶され、電源電圧出力ステップは、第１記憶手段に記憶された各シーケンス情報に基づいて測定対象に電源電圧を順次出力することを特徴とするものであってもよい。
【００１７】
また、本発明は、上記の制御方法において、電源用のシーケンス情報は、電源ＯＮ時における電圧の立ち上がりの傾き、電圧レベル、各電圧が立ち上がりを開始する間隔、及び、電源ＯＦＦ時における電圧の立ち下がりの傾き、電圧レベル、各電圧が立ち下がりを開始する間隔を有して構成されることを特徴とするものであってもよい。
【００１８】
また、本発明は、上記の制御方法において、外部記憶手段との接続を検知する接続検知ステップと、外部記憶手段の残容量を検知する残容量検知ステップと、を有し、測定情報格納ステップは、接続検知ステップにより正常な接続が検知されたとき測定情報を外部記憶手段に転送し、電圧測定ステップは、残容量検知ステップにより残容量が所定量以下となったことが検知されたとき測定対象の出力電圧の測定を中断することを特徴とするものであってもよい。
【００１９】
また、本発明は、上記の制御方法において、電源シーケンス測定装置は、電圧測定におけるサンプリング間隔に関する情報を記憶する第４記憶手段を有し、電圧測定ステップは、第４記憶手段に記憶される情報に基づくサンプリング間隔で測定対象の出力電圧を測定することを特徴とするものであってもよい。
【００２０】
他の態様として、本発明は、測定対象へ供給する電源用のシーケンス情報を記憶する第１記憶手段、判定用のシーケンス情報を記憶する第２記憶手段、電圧測定結果を記憶する第３記憶手段を備える電源シーケンス測定装置に用いられるプログラムであって、コンピュータに、第１記憶手段に記憶された電源用シーケンス情報に基づいて測定対象に電源電圧を出力する電源電圧出力ステップと、電源電圧を受けた測定対象が出力する電圧を測定する電圧測定ステップと、電圧測定機能で測定された結果を測定情報として第３記憶手段に格納する測定情報格納ステップと、第３記憶手段に格納された測定情報と第２記憶手段に記憶された判定用シーケンス情報とを比較し、測定情報のＯＫ／ＮＧ判定を行う判定ステップと、を実行させることを特徴とするプログラムである。
【００２１】
また、本発明は、上記のプログラムにおいて、第１記憶手段には電源用のシーケンス情報が複数記憶され、電源電圧出力ステップは、第１記憶手段に記憶された各シーケンス情報に基づいて複数のチャンネルから測定対象に電源電圧を出力することを特徴とするものであってもよい。
【００２２】
また、本発明は、上記のプログラムにおいて、第１記憶手段には電源用のシーケンス情報を複数パターン記憶され、電源電圧出力ステップは、前記第１記憶手段に記憶された各シーケンス情報に基づいて測定対象に電源電圧を順次出力することを特徴とするものであってもよい。
【００２３】
また、本発明は、上記のプログラムにおいて、電源用のシーケンス情報は、電源ＯＮ時における電圧の立ち上がりの傾き、電圧レベル、各電圧が立ち上がりを開始する間隔、及び、電源ＯＦＦ時における電圧の立ち下がりの傾き、電圧レベル、各電圧が立ち下がりを開始する間隔を有して構成されることを特徴とするものであってもよい。
【００２４】
また、本発明は、上記のプログラムにおいて、外部記憶手段との接続を検知する接続検知ステップと、外部記憶手段の残容量を検知する残容量検知ステップと、をコンピュータに実行させ、測定情報格納ステップは、接続検知ステップにより正常な接続が検知されたとき測定情報を外部記憶手段に転送し、電圧測定ステップは、残容量検知ステップにより残容量が所定量以下となったことが検知されたとき測定対象の出力電圧の測定を中断することを特徴とするものであってもよい。
【００２５】
また、本発明は、上記のプログラムにおいて、電源シーケンス測定装置は、電圧測定におけるサンプリング間隔に関する情報を記憶する第４記憶手段を有し、電圧測定ステップは、第４記憶手段に記憶される情報に基づくサンプリング間隔で測定対象の出力電圧を測定することを特徴とするものであってもよい。
【００２６】
他の態様として、本発明は、上述したプログラムを記録したコンピュータ読み取り可能な記録媒体である。
【発明の効果】
【００２７】
本発明によれば、電源波形の調整、複数の電源の出力制御、電源供給とシーケンス観測のタイミング調節ができ、電源の立ち上がり波形に対するマージンや各電源間の電源投入時間に対するマージンの評価試験が単独で実行可能となる。
【発明を実施するための最良の形態】
【００２８】
以下、図面を参照しながら、本発明の実施形態について説明する。なお、以下の述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２９】
本実施形態の電源シーケンス測定装置１０の構成を図１に示す。電源シーケンス測定装置１０は、大きく分けて、電源を出力するための構成と、測定・判定を行うための構成とからなる。
【００３０】
（電源を出力するための構成）
電源シーケンス測定装置１０は、電源を出力するための構成として、出力電源用のシーケンスの情報を保存する電源情報保存部１、保存した情報を読み込んで電源出力部３に伝える電源制御部２、電源制御部２からの情報に基づいて実際に電圧を出力する電源出力部３を有する。
【００３１】
電源用シーケンス情報として図２のような電源の立ち上がり時間と電圧レベルといった立ち上がり波形のデータを電源情報保存部１にあらかじめ保存しておく。具体的には、各時間の電圧レベルの情報をデジタルデータに変換し、図３に示すように電源情報保存部１の各アドレスに保存される。
【００３２】
電源制御部２の動作は、全体制御部７からの信号で制御され、測定と電源出力のタイミングが連動するようになっている。また、電源制御部２では、電源を出力し始める際、図３に示す電源情報保存部１に保存された立ち上がり波形のデータを読み込み、その情報を所定時間ごとに電源出力部３に伝える働きを行う。また出力終了時には、終了のタイミングを全体制御部７に伝える働きも行う。
【００３３】
電源出力部３は、ＤＡコンバータ、増幅器などから構成されており、電源制御部２から伝えられた波形の情報をＤ／Ａ変換、増幅し、電圧を出力する。電源が立ち上がった後は一定の電圧を出力する働きを行う。
【００３４】
上記の例では、電源制御部２は電源出力を開始すると、電源情報保存部１（通常はＲＡＭ）のｘｘ００番地からデータ０を読み出して、電源出力部３のＤＡコンバータにセットする。続いて、例えば０．１ｍｓ後にｘｘ０１番地、その後０．１ｍｓにｘｘ０２番地のデータを読み出して順次ＤＡコンバータに１、４、・・・２５５をセットする。ＤＡコンバータはデータ０で０Ｖ，データ２５５で５Ｖが出力されるように設定されており、図２のような立ち上がりの電圧を実現できる。
【００３５】
（測定・判定を行うための構成）
電源シーケンス測定装置１０は、測定対象３０の各シーケンスの測定・判定を行うための構成として、測定対象３０の各電圧を測定して全体制御部７にその情報を伝える電圧測定部４、測定したシーケンスのデータを保存する測定結果保存部５、比較用シーケンスを保存する判定用情報保存部６、装置全体の制御を行うとともに、測定結果と判定用情報とを比較してＯＫ／ＮＧの判定を行う全体制御部７、判定結果を出力する判定結果出力部８を有する。
【００３６】
測定結果は、先に述べた出力電源用シーケンス情報（立ち上がり波形データ）と同様に、サンプリング間隔ごとの電圧レベルがデジタルデータに変換され、それぞれの保存部の各アドレスに順次保存される。判定用情報は、測定対象３０の各電圧における電圧のＬ、Ｈのそれぞれの閾値、波形の種類（立ち上がりか立下りか）、立ち上がり（下がり）時間の情報、測定対象の前に立ち上がる（下がる）電源シーケンスの情報とそれとの間隔の情報、関係性（時間の間隔が設定値以上であればＯＫか、以下ならＯＫなのか）が保存されている。図５の例でいえば、図４のような情報が所定のデジタルデータの形で保存されている。
【００３７】
電圧測定部４は、複数の測定チャネルをもち、測定対象の各電圧値を一定のサンプリング間隔で測定し、Ａ／Ｄ変換を行いその情報を全体制御部に伝える。測定された情報は、測定結果保存部５に保存される。判定を行う際には、測定結果保存部５に保存された情報と判定用情報保存部６に保存された情報が読み出され、全体制御部７にて比較され、ＯＫ／ＮＧの判定が行われる。判定基準は、図５に示すように、電圧レベル、立ち上がり（下がり）時間、各シーケンスの立ち上がり(下がり)の順番・間隔である。
【００３８】
例えばシーケンス２に関して判定を行う場合、
・電圧レベルの判定：測定された電圧値が、ＶＨ２ｍｉｎの値を超えているかどうか
・立ち上がりの時間：測定電圧がＶＬ２ｍａｘを超えたときからＶＨ２ｍｉｎを超えるまでの時間がｔ２内であるかどうか
・シーケンス１との順番・間隔：ＶＨ１ｍｉｎになってからＶＬ２ｍａｘを超えるまでの時間がｔ１＿２を超えているかどうか
という基準で判定を行う。
【００３９】
例えば、測定データが図６のように保存されているとし、このときの各判定方法について以下で説明する。
【００４０】
＜電圧レベルの判定方法＞
保存された測定電圧の値を順にチェックし、基準を満たしている測定値があればＯＫとする。例えばＶＬ２ｍａｘの値がデジタル換算値で、２３１になるように設定されている場合、ｙｙ６Ｆのアドレスに保存された測定値の値が２３２であるので電圧レベルに関してＯＫとなる。
【００４１】
＜立ち上がり（下がり）時間の判定方法＞
時間に関しては、上記の例ではアドレス一番地あたりの時間のずれと、各測定値のアドレスがどれだけずれているかで判断する。例えば、立ち上がり時間に関しては、ＶＬ２ｍａｘのデジタル換算値が２５になるように設定しているとすると、ＶＬ２ｍａｘを超えたとき（ｙｙ０Ｆ）からＶＨ２ｍｉｎを超えたとき（ｙｙ３０）まで９６番地アドレスがずれている。サンプリング間隔を０．１ｍｓ、立ち上がりの時間の規格を１０ｍｓとすると、１０ｍｓに相当するアドレスのズレは、１００番地であるので規格内の時間で立ち上がっていると判断できる。
【００４２】
＜シーケンス１との順番・間隔＞
立ち上がり（下がり）時間の場合と同様に、時間的な判定を行う。
【００４３】
全体制御部７において上記のような判定が行われた後、これらの判定結果は、ＬＣＤなどを用いた判定結果出力部８に表示される。
【００４４】
（測定開始のタイミング）
測定開始のタイミングは、主電源立ち上がり時の各シーケンスの動きを全て観測できるようにするため、図７に示すように、測定開始後に電源が立ち上がり始めるように電源が立ち上がり始めるタイミングを設定し、全体制御部７で制御するものとする。具体的には、全体制御部７から電圧測定部４に送る測定開始の信号と電源制御部２に送る出力開始の信号の送信時間をずらすことで制御している。
【００４５】
（本実施形態における動作（電圧出力、電圧測定、ＯＫ／ＮＧ判定））
本実施形態における動作を図８、図９のフローチャートに示す。図８は、装置の動作が始まってから出力電圧が立ち上がり定常状態になるまでの動作を表したフローチャートである。図９は、定常状態になってから設定時間経過した後の動作を表したフローチャートである。
【００４６】
評価を開始する際、まず電源情報保存部１にアクセスし、出力用のシーケンス情報を読み込む処理を電源制御部２で行う（ステップＳ１）。そして、読み込み終了後、電源制御部２から全体制御部７に読み込んで完了の信号を送信する（ステップＳ２）。この信号を全体制御部７が受信した後、全体制御部７から測定開始の信号を電圧測定部４に送り（ステップＳ３）、電圧測定部４の動作を開始させる。測定開始後は、電圧測定部４にて測定対象３０の各電圧を一定のサンプリング間隔で測定し、その結果を測定結果保存部５に格納する（ステップＳ４）。
【００４７】
上記の測定開始の信号に対して設定時間ずらした後に全体制御部７から出力開始の信号を電源制御部２に送り（ステップＳ３）、信号受信後、電源制御部２から出力用の電源シーケンスの情報を電源出力部３に送り始め、電源出力部３でＤ／Ａ変換し、増幅することにより、電圧を出力し測定対象３０に電圧を供給するものとする（ステップＳ５）。なお、電源出力部からの電圧が完全に立ち上がった後は、設定された時間の間、出力電圧は定常状態になるものとする。
【００４８】
そして、出力電圧が定常状態になったら、全体制御部７から電源制御部２に出力停止信号を送り（ステップＳ６）、電源の出力を終了する（ステップＳ７）。また同時に、全体制御部７から電圧測定部４に向けて測定終了信号を送信し（ステップＳ６）、測定を終了してその後データ保存を終了する（ステップＳ８）。
【００４９】
測定終了後、保存した測定結果と比較用シーケンス情報を測定結果保存部５及び判定用情報保存部６からそれぞれ読み出し、全体制御部７にて比較を行ってＯＫ／ＮＧの判定を行う（ステップＳ９）。判定処理が終わった後、判定結果を判定結果出力部８にて出力する（ステップＳ１０）。
【００５０】
上記の実施形態によれば、電源を出力するための構成と測定・判定を行うための構成を有するため、保存された傾きで立ち上がる電圧を測定対象に供給し、測定対象の各電源シーケンスのＯＫ／ＮＧを判定することで、供給電圧の波形に対するマージン試験を行うことが可能となる。
【００５１】
上述した電源シーケンス測定装置において、測定対象に供給する電源を多チャンネルにするようにしてもよい。この場合、電源出力部３が多チャンネルの出力端子を持つように構成される。また、出力電源のシーケンスに関しては、図１０に示すように各電圧の立ち上がりの傾き、電圧レベルに加えて、それぞれの電圧が立ち上がり始める間隔も制御されることになる。立ち上がり波形データに関しては、上述した電源シーケンス測定装置の場合と同様に各時間の電圧レベルをデジタルデータの形式で保存し、Ｄ／Ａ変換、増幅を行うことで電圧を出力している。時間間隔もこの波形データにより制御を行い、図１０の例では、図１１のように電源２の各時間の波形データで０を入れることで、出力間隔を制御している。
【００５２】
上記の構成によれば、複数のチャネルの電圧を操作して測定対象に供給することが可能となる。
【００５３】
上述した電源シーケンス測定装置において、測定対象に供給する電源の波形を電源ＯＦＦ時も制御できるようにしてもよい。この場合、電源情報保存部１は、各電圧の立ち上がりの情報に加えて、図１２に示すような立ち下がりの情報を保持するように構成される。
【００５４】
上記構成を有する電源シーケンス測定装置の動作の流れを図１３のフローチャートを用いて説明する。最初に装置の動作がスタートしてから定常状態にいたるまでの過程は、図８のフローチャートで示したものと同様であり、Ｓ１〜Ｓ５とステップをＳ１１〜Ｓ１５と置き換える。Ｓ１５のステップから定常状態になった後の動作を図１３に示す。
【００５５】
定常状態となり一定時間経過した後、全体制御部７から電源制御部２に向けて定常状態終了の信号を送る（ステップＳ１６）。その信号を受信した後、電源制御部２で電源情報保存部１に保存されている立ち下がり用のシーケンス情報の読み込みを行う（ステップＳ１７）。そして、読み込んだ情報を電源出力部３に伝え、立ち下がりの電圧を出力し始める（ステップＳ１８）。
【００５６】
電源の立ち下がりが終わった後、電源制御部２から全体制御部７に信号を送り、立ち下がり終わったことを伝え、またその後に全体制御部７から測定終了信号を電圧測定部４に送る（ステップＳ１９）。測定終了信号を受信した後、電圧の測定及び保存の動作を終了する（ステップＳ２０）。
【００５７】
以降は、先に述べた動作と同様に、保存した測定結果と比較用シーケンス情報を読み出して比較し、ＯＫ／ＮＧ判定を行い（ステップＳ２１）、判定処理後に判定結果を出力する（ステップＳ２２）。
【００５８】
上記の構成によれば、電源の立ち下がり時の波形に関するマージンの評価試験を行うことが可能となる。
【００５９】
上述した電源シーケンス測定装置において、測定対象に供給する電源シーケンスの情報を図１４のように複数パターン用意し、順次異なるパターンの電源での測定ができるようにしてもよい。この場合、これまで説明してきたような動作の流れで、電源情報を順次読み込んで出力し、判定を行っていく。すなわち、まずパターン１の電源情報の読み込んで出力、判定を行い、パターン１で設定された回数の動作を終了した後は、パターン２の電源情報の読み込み、出力、判定の繰り返しというように、順次異なるパターンを読み込み、電圧を出力し、出力電圧を測定するという動作を行う。
【００６０】
上記の構成によれば、異なったパターンのシーケンスを順次出力し、連続して測定を行うことが可能となる。
【００６１】
上述した電源シーケンス測定装置において、リムーバルメモリを接続する機能を付加し、測定結果をリムーバルメモリに保存するようにしてもよい。この場合の装置の構成を図１５に示す。図１５の電源シーケンス測定装置１１では、リムーバルメモリＩ／Ｆ９にリムーバルメモリを装着して動作を行う。初回起動時に、リムーバルメモリ接続の有無をリムーバルメモリＩ／Ｆ９で判断し、接続時には測定結果が全体制御部７から順次転送され、リムーバルメモリに保存される。
【００６２】
電源の出力、測定が終わった後の動作を図１６のフローチャートを用いて説明する。測定終了後、リムーバルメモリＩ／Ｆ９において、メモリの残量のチェックを行う（ステップＳ３１）。リムーばるメモリの残容量が十分である場合（ステップＳ３２／Ｙｅｓ）は次の測定を行う。他方、メモリの残容量がなくなった場合（ステップＳ３２／Ｎｏ）は、メモリへのアクセスを停止し（ステップＳ３３）、リムーバルメモリＩ／Ｆ９から全体制御部７に信号を送る（ステップＳ３４）。その後、判定結果表示部８にも残余量がないことを示す表示を行う（ステップＳ３５）。
【００６３】
その後、リムーバルメモリの交換を行い（ステップＳ３６）、メモリの装着を検知した後（ステップＳ３７）、容量の確認を行う（ステップＳ３８）。そして、容量がなければ（ステップＳ３９／Ｎｏ）再び出力部で表示し（ステップＳ３５）、容量があれば（ステップＳ３９／Ｙｅｓ）測定作業の再開する。
【００６４】
上記の構成によれば、連続試験中にリムーバルメモリの交換を行い、測定結果を全てに保存しながら試験を行うことが可能となる。
【００６５】
上述した電源シーケンス測定装置において、あらかじめ設定した時間ごとに電源の測定のサンプリング間隔を変化させる機能を持たせるようにしてもよい。この場合、図１７に示すように、事前に時間ごとのサンプリング間隔を指定し、それを保存しておく。そして、装置動作時にその情報を全体制御部で読み出し、その情報に基づいて電圧値の測定、保存を行う間隔を時間ごとに変化させる制御を行う。保存される測定結果は、測定時間ごとの電圧値であるため、不要な時間でのサンプリング間隔を粗くすることで、保存される情報の量を少なくなり、メモリ使用量を節約することができる。
【００６６】
上記の構成によれば、サンプリング間隔を調節し、メモリの消費量を抑えた連続試験を行うことが可能となる。
【００６７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６８】
すなわち、本実施形態における電源シーケンス測定装置で実行されるプログラムは、先に述べた各部（全体制御部、電源制御部）を含むモジュール構成となっており、実際のハードウェアを用いて具体的手段を実現する。すなわち、コンピュータ（ＣＰＵ）が所定の記録媒体からプログラムを読み出して実行することにより上記各部が主記憶装置上にロードされ、全体制御部、電源制御部が主記憶装置上に生成される。
【００６９】
本実施形態における電源シーケンス測定装置で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００７０】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００７１】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【図面の簡単な説明】
【００７２】
【図１】本発明の実施形態に係る電源シーケンス測定装置の内部構成を示した機能ブロック図である。
【図２】本発明の実施形態における電源用シーケンス情報を説明するための図である。
【図３】本発明の実施形態における電源用シーケンス情報の例を示した図である。
【図４】本発明の実施形態における判定用シーケンス情報の例を示した図である。
【図５】本発明の実施形態における判定基準を説明するための図である。
【図６】本発明の実施形態における測定情報の例を示した図である。
【図７】本発明の実施形態における測定開始タイミングを説明するための図である。
【図８】本発明の実施形態における電源電圧出力の動作の流れを示したフローチャートである。
【図９】本発明の実施形態における出力電圧測定及びＯＫ／ＮＧ判定の動作の流れを示したフローチャートである。
【図１０】本発明の実施形態における電源用シーケンス情報を説明するための図である。
【図１１】本発明の実施形態における電源用シーケンス情報の例を示した図である。
【図１２】本発明の実施形態における電源用シーケンス情報を説明するための図である。
【図１３】本発明の実施形態における電源電圧出力、出力電圧測定、ＯＫ／ＮＧ判定の動作の流れを示したフローチャートである。
【図１４】本発明の実施形態における複数の電源出力パターンを説明するための図である。
【図１５】本発明の実施形態に係る電源シーケンス測定装置の内部構成を示した機能ブロック図である。
【図１６】本発明の実施形態における外部メモリのメモリ残量チェックの動作の流れを示したフローチャートである。
【図１７】本発明の実施形態における出力電源シーケンスとサンプリング間隔の関係を説明するための図である。
【図１８】立ち上がり波形の操作による波形の傾きの変化を説明するための図である。
【符号の説明】
【００７３】
１  電源情報保存部
２  電源制御部
３  電源出力部
４  電圧測定部
５  測定結果保存部
６  判定用情報保存部
７  全体制御部
８  判定結果出力部
９  リムーバルメモリＩ／Ｆ
１０，１１  電源シーケンス測定装置
２０  ＡＣアダプタ
３０  測定対象
【図１】
2009276201.tif 000003
【図２】
2009276201.tif 000004
【図３】
2009276201.tif 000005
【図４】
2009276201.tif 000006
【図５】
2009276201.tif 000007
【図６】
2009276201.tif 000008
【図７】
2009276201.tif 000009
【図８】
2009276201.tif 000010
【図９】
2009276201.tif 000011
【図１０】
2009276201.tif 000012
【図１１】
2009276201.tif 000013
【図１２】
2009276201.tif 000014
【図１３】
2009276201.tif 000015
【図１４】
2009276201.tif 000016
【図１５】
2009276201.tif 000017
【図１６】
2009276201.tif 000018
【図１７】
2009276201.tif 000019
【図１８】
2009276201.tif 000020